(57)【特許請求の範囲】
【請求項１】
短冊状平板部の面内に、幅狭で縦長の斜方形状の取付孔を一定間隔を開いて多数縦列配備した棚柱と、水平状の棚載せ板部及び棚載せ板部に連続する垂直状の支承板部の各先端部に上記取付孔に嵌挿する挿込み片を突設した棚受けとから成り、前記水平状の棚載せ板部から突出する挿込み片の横幅は、上記取付孔の最大幅よりも大きく且つ取付孔の縦長さより小さく設定したことを特徴とする棚板支持装置。
【請求項２】
前記挿込み片が嵌挿する斜方形状の取付孔は、上下の稜部を外方へ開き角形部とした変形菱形状とし、縦長で且つ横幅を短く設定したことを特徴とする請求項１記載の棚板支持装置。
【請求項３】
前記水平状の棚載せ板部から突出する挿込み片は、扁平なＵ字状体で開口上部に外方向へ拡開する左右の翼部を設け、この左右の翼部間の長さが取付孔の縦長さより小さく且つ取付孔の最大横幅より大きく設定したことを特徴とする請求項１または請求項２記載の棚板支持装置。
【発明の詳細な説明】
【技術分野】
【０００１】
この発明は、棚板支持装置に関する。
【背景技術】
【０００２】
図７は、従来の一般的な棚板支持装置を示す斜視図である。
この棚板支持装置は、棚柱４１と棚受け５１とで構成される。棚柱４１は、断面コ字状に形成され、短冊状平板部４２と屈曲脚部４３とからなる。短冊状平板部４２の面内には、横長の矩形状取付孔４４が上下方向へ一定間隔開いて多数開設してある。
【０００３】
前記棚受け５１は、短冊状平板部４２の幅と略同様な幅を有する矩形板の長さ略中央部を内向きに屈曲させたもので、水平状の棚載せ板部５２と斜傾状の支承板部５３とからなる。この水平状の棚載せ板部５２と斜傾状の支承板部５３の先端部には、上向きに屈曲させた引掛け片５４、５５を突設している。各引掛け片５４、５５は、棚柱４１の取付孔４４幅より幅狭の板状に形成してある。
【０００４】
この棚板支持装置では、短冊状平板部４２面内のビス孔（図示せず) からビスを打ち付け、屈曲脚部４３端面が壁面に当接した状態で棚柱４１を壁面に固定する。この後、所望の棚板高さに対応する取付孔４４を選択し、この取付孔４４に水平状の棚載せ板部５２の引掛け片５４を挿入した後、下方の対応する取付孔４４に支承板部の引掛け片５５を挿入して取付ける。
【０００５】
この挿し込み状態において、両引掛け片５４、５５は短冊状平板部４２の裏面、つまり取付孔４４外周面（上壁面）に当接して掛止することで、棚柱４１に対し棚受け５１が抜け止め固定される。
【特許文献１】特開平９−１４８２９号公報
【特許文献２】実開平７−４３７７８号公報
【発明の開示】
【発明が解決しようとする課題】
【０００６】
上記棚板支持装置では、引掛け片の幅より取付孔の幅が大きく挿脱可能な状態にあると共に、棚受けに作用する垂直荷重は短冊状平板部の内面に接面する引掛け片の曲げ強度に拠っている。このため、この棚板支持構造は耐荷重性が低く棚受けが脱落しやすい不利があった。
【０００７】
近年、棚板支持の耐荷重性を高くするため、引掛け片の幅を広げたものが提案されている。この場合、耐荷重性を向上し得る反面、取付孔の幅も大きくしなければならず、結果的に棚柱が大型化する。この結果、コンパクトで目立たず、良好な陳列体裁など、棚受け装置としての肝要点を満足し得ない不利がある。
【０００８】
この発明は、以上のような課題を解消させ、コンパクトで目立たず、陳列体裁が良い許かりでなく、耐荷重性に優れ且つ棚受けの取り付け、取り外しが極めて簡易で、且つ強固に固定し得る棚板支持装置を提供することを目的とする。
【課題を解決するための手段】
【０００９】
この目的を達成させるために、この発明の棚板支持装置では、次のような構成としている。
棚板支持装置は、短冊状平板部の面内に、幅狭で縦長の斜方形状の取付孔を一定間隔開いて多数縦列配備した棚柱と、水平状の棚載せ板部及び棚載せ板部に連続する垂直状の支承板部の各先端部に上記取付孔に嵌挿する挿込み片を突設した棚受けとから成り、前記棚載せ板部から突出する挿込み片の横幅は、上記取付孔の最大幅よりも大きく且つ取付孔の縦長さより小さく設定したことを特徴としている。
【発明の効果】
【００１０】
このような構成を有する棚板支持装置では、棚載せ板部から突出する挿込み片の横幅を取付孔の最大幅よりも大きく且つ取付孔の縦長さより小さく設定することとしたから、棚柱に対し棚受けを取り付ける際は棚受けを立てた状態で、棚載せ板部の挿込み片の横幅を取付孔の縦長さに対応させて嵌入し、棚柱を９０度回動させることで、強固に取付けられる。
【００１１】
棚柱を９０度回動させ、棚載せ板部を水平状、つまり棚柱に対し垂直状に取付けた状態において、棚載せ板部から突出する挿込み片の横幅は、取付孔の横幅より大きいから、抜け止めは剪断応力に拠る。つまり、挿込み片が棚載せ板部から引きちぎれないかぎり抜け止めが阻止され、耐荷重性が向上する。
【００１２】
また、取付孔は幅狭で且つ縦長の斜方形状の孔に設定したから、孔が幅狭な分、棚柱の横幅を小さくでき、全体としてコンパクトで目立たず陳列体裁の良好な棚受け装置を提供し得る。
【００１３】
更に、棚柱に対し棚受けを立てた状態で挿込み片を取り付け孔に挿入させ、且つ９０度回動させるだけで強固に取り付けできるから、取り付け取り外し操作がスムーズで簡易に実行し得る等、発明目的を達成した優れた効果を有する。
【発明を実施するための最良の形態】
【００１４】
以下、図面に基づき本発明に係る棚板支持装置の具体的な実施の形態を説明する。
図１は、棚板支持装置の分離斜視図である。
棚板支持装置は、棚柱２と、棚柱２に対し脱着可能に装着する棚受け１とから構成されている。
【００１５】
棚柱２は、ステンレス材等の板金による成形品で、短冊状平板部２１と、この短冊状平板部２１の両側辺を直角状に屈曲させた左右の屈曲脚部（側板部）２２，２２とから成る断面コ字状に形成されている。
【００１６】
短冊状平板部２１の面内には、一定間隔を開いて多数の取付孔２３が開設してある。取付孔２３は、斜方形状であって、例えば稜角をなくした菱形形状で、上下の稜部を外方へ延長して角形部２３ａとした変形菱状とすることで、縦長で且つ横幅の短い孔に設定している。
【００１７】
前記棚受け１は、図２で示すように、例えばステンレス板などの金属製の棚受け本体とプラスチック製のカバー体１５とから成る。
棚受け本体は、水平状の棚載せ板部１１と、水平状の折り返し板部１３と、垂直状の支承板部１４とから成る。
【００１８】
つまり、棚受け本体は、長方形状の板体を適宜長さで屈曲して、水平状の棚載せ板部１１の後端に連続し、且つ水平状の棚載せ板部１１に隙間１３ａを開いて二つ折りされた折返し板部１３と、この折り返し板部１３の先端部を下方へ（棚載せ板部１１の先端部対応位置で下方へ）屈曲させた垂直状の支承板部１４とから構成している。
【００１９】
上記カバー体１５は、軟質プラスチック或いは軟質ゴムなどの成型品で、天板部１５ａと左右の短尺な側壁部１５ｂ、１５ｂとから成る断面コ字状に形成されている。このカバー体１５は、水平状棚載せ板部１１の上面に被せられ重合状の水平状棚載せ板部１１と折り返し板部１３の側周面を被覆する。図１で示すように、この被覆状態において、後述する挿し込み片１２がカバー体１５より前方へ突出している。
【００２０】
上記水平状の棚載せ板部１１と垂直状の支承板部１４の先端部には、前記取付孔２３に嵌挿する挿込み片１２、１４ａが設けてある。支承板部１４の挿込み片１４ａは、矩形板状で斜め前方へ突設されている。この挿込み片１４ａの幅は菱形取付孔２３の下側の角形部２３ａ幅より大きく、且つ孔の最大横幅より小さく設定してある。
【００２１】
水平状棚載せ板部１１の先端部に突設される挿込み片１２は、扁平なＵ字状体に形成され、このＵ字状体１２ａの開口上部を外方向へ拡開する左右の翼部１２ｂ、１２ｂが設けてある。
【００２２】
この挿込み片１２は、水平状棚載せ板部１１（カバー体１５）面と平行状に張り出し、この平行する面の幅、すなわち左右翼部１２ｂ、１２ｂ間の長さが、取付孔２３の縦長さ、つまり上下の角形部２３ａ、２３ａ間の長さより短く設定されている。更に、挿込み片１２の縦幅、すなわちＵ字状体１２ａの底面から左右翼部１２ｂ、１２ｂまでの高さ（長さ）は、取付孔２３の横幅より短く設定してある。
【００２３】
挿込み片１２は、幅の細い首部１２ｃを介して水平状の棚載せ板部１１に連続している。挿込み片１２のＵ字状体１２ａは、図５及び図２で示すように、水平状棚載せ板部１１の先端部面内まで伸ばして延長部（下方向への凹み状）１２ｄとしてある。
【００２４】
このような構成を有する棚板支持装置では、図１で示すように、棚受け１を立てた状態、つまり水平状の棚載せ板部（カバー体１５）１１の上面が垂直状とした状態で、棚柱２に対し装脱操作する。
【００２５】
図１で示すように、棚受け１を立てた状態では、取付孔２３の縦長さより縦状態の挿込み片１２の横幅（左右の翼部１２ｂ、２ｂ間）は小さい。更に、縦状態の挿込み片１２の厚み（Ｕ字状体１２ａ底から翼部１２ｂ、１２ｂ上面までの距離）は取付孔２３の横幅より小さい。従って、棚受け１を立てた状態で挿込み片１２は取付孔２３内にスムーズに嵌挿し得る。
【００２６】
図３で示すように、この嵌挿状態では棚受け（棚載せ板部１１）１は、上面が垂直状であり、且つ棚受け１は容易に脱落し得る状態にある。ここで、図４に示すように、棚受け１を９０度回動させる。図６で示すように、取付孔２３を貫通し且つ水平状となった挿込み片１２は、左右の翼部１２ｂ、１２ｂが取付孔２３の横幅の外側面に衝突する。従って、挿込み片12が引きちぎれない限り取付孔２３からの抜け止めが阻止される。
【００２７】
図４及び図５で示すように、この状態において、垂直状の支承板部１４が短冊状平板部２１表面に接面すると共に、支承板部１４の挿込み片１４ａが対応する下方の取付孔２３の下部（下方角形部２３ａの上部）に嵌挿して掛止する。
【００２８】
更に、この状態において、図５で示すように、水平状棚載せ板部１１と折返し板部１３との上下隙間１３ａは、Ｕ字状体１２ａの延長部１２ｄによって更に隙間が小さくなる結果、水平状棚載せ板部（挿込み片１２）１１の耐荷重性能が高くなる。
【図面の簡単な説明】
【００２９】
【図１】実施の形態の棚板支持装置を示す分離斜視図である。
【図２】棚受け本体とカバー体とを分解した分解斜視図である。
【図３】立てた棚受けを棚柱に嵌挿した状態を示す斜視図である。
【図４】棚受けを９０度回動させ水平状に取り付けた状態を示す斜視図である。
【図５】棚受けを棚柱に取り付けた状態を示す説明断面図である。
【図６】棚受けを棚柱に取り付けた状態を示す説明平面図である。
【図７】従来の棚板支持装置を示す斜視図である。
【符号の説明】
【００３０】
１      棚受け
２      棚柱
１１    棚載せ板部
１２    挿込み片
１３    折返し板部
１４    支承板部
１５    カバー体
２１    短冊状平板部
２２    左右側板部
２３    取付孔
１２ａ  Ｕ字状体
１２ｂ  左右の翼部  
１２ｃ  細首部
１２ｄ  延長部
１４ａ  挿込み片
２３ａ  角形部
【図１】
0005498187.tif 000002
【図２】
0005498187.tif 000003
【図３】
0005498187.tif 000004
【図４】
0005498187.tif 000005
【図５】
0005498187.tif 000006
【図６】
0005498187.tif 000007
【図７】
0005498187.tif 000008